(57)【特許請求の範囲】
【請求項１】
少なくとも１種の溶媒、少なくとも１種の色素、ならびにａ）白色粒子、および少なくとも１セットの着色粒子、またはｂ）異なる色を有する少なくとも２セットの着色粒子、および任意に白色粒子、を含む、電気泳動流体であって、ａ）およびｂ）における着色粒子が、赤、緑、青、マゼンタ、シアン、およびイエロー粒子、およびそれらの混合物から選択され、前記電気泳動流体が式Ｉ、式ＩＩ、式ＩＩＩ、式ＩＶ、式Ｖまたは式ＶＩ
【化１】
0006670242.tif 000022
式中、
ＸおよびＸ’は互いに独立して、Ｈまたは電子吸引性基であり；
Ｒ１およびＲ２は互いに独立して、直鎖または分枝、置換または非置換のアルキル基、ここで、１つ以上の隣接していない炭素原子はＯ、Ｓおよび／またはＮで置換されてもよい、であり；
Ｒ３およびＲ４は互いに独立して、直鎖または分枝、置換または非置換のアルキル基、ここで、１つ以上の隣接していない炭素原子はＯ、Ｓおよび／またはＮで置換されてもよい、であり；
Ｒ５は、メチルまたはメトキシ基であり；
ならびに、該色素は、少なくとも１つの電子吸引性基を有する；
【化２】
0006670242.tif 000023
式中、
Ｒ６およびＲ７は互いに独立して、直鎖または分枝、置換または非置換のアルキル基、ここで、１つ以上の隣接していない炭素原子はＯ、Ｓおよび／またはＮで置換されてもよい、である；
【化３】
0006670242.tif 000024
式中、
Ｘ’’は、電子吸引性基であり；
Ｒ８は、メチルまたはメトキシ基であり；
Ｒ９およびＲ１０は互いに独立して、直鎖または分枝、置換または非置換のアルキル基、ここで、１つ以上の隣接していない炭素原子はＯ、Ｓおよび／またはＮで置換されてもよい、である；
【化４】
0006670242.tif 000025
式中、
Ｒ１２およびＲ１３は互いに独立して、直鎖または分枝、置換または非置換のアルキル基、ここで、１つ以上の隣接していない炭素原子はＯ、Ｓおよび／またはＮで置換されてもよい、であり；
Ｒ１１は、少なくとも３つの炭素原子を有するアルキルまたはアルコキシ基である；
【化５】
0006670242.tif 000026
式中、
Ｒ１４およびＲ１５は互いに独立して、直鎖または分枝、置換または非置換のＣ８〜Ｃ２０アルキル基、ここで、１つ以上の隣接していない炭素原子はＯ、Ｓおよび／またはＮで置換されてもよい、である；
【化６】
0006670242.tif 000027
式中、
Ｘ’’’は、電子吸引性基であり；
Ｒ１６およびＲ１７は互いに独立して、直鎖または分枝、置換または非置換のアルキル基、ここで、１つ以上の隣接していない炭素原子はＯ、Ｓおよび／またはＮで置換されてもよい、であり；
Ｒ１８は、ＮＨＣＯＲ、ここでＲ＝直鎖または分枝のＣ１〜Ｃ１０アルキル基、である；
による少なくとも１種の色素を含む、前記電気泳動流体。
【請求項２】
ａ）において透過性着色粒子を、およびｂ）において反射性着色粒子を、含むことを特徴とする、請求項１に記載の電気泳動流体。
【請求項３】
少なくとも１種の溶媒、少なくとも１種の色素、白色粒子、および赤、緑、青、マゼンタ、シアン、およびイエロー粒子から選択される１セットの着色粒子を含むことを特徴とする、請求項１または２に記載の電気泳動流体。
【請求項４】
粒子の垂直移動ならびに粒子間の離間の増加および低減に際し、異なる色状態を提供することを特徴とする、請求項１〜３のいずれか一項に記載の電気泳動流体。
【請求項５】
色素の色に基づく第１の色状態、ならびに色素の色に、および着色粒子に基づく第２の色状態を有することを特徴とする、請求項１〜４のいずれか一項に記載の電気泳動流体。
【請求項６】
色素の色に基づく第１の色状態、色素の色に、および着色粒子に基づく第２の色状態、ならびに白色粒子に基づく第３の色状態を有することを特徴とする、請求項１〜５のいずれか一項に記載の電気泳動流体。
【請求項７】
色素または色素混合物が、５０ミクロンのセル厚において少なくとも０．３ａ．ｕ．の吸光度を有することを特徴とする、請求項１〜６のいずれか一項に記載の電気泳動流体。
【請求項８】
それぞれの色素が少なくとも１つの発色団基および少なくとも１つの可溶化基を含み、かつ少なくとも２種の色素が異なる可溶化基を含む、少なくとも２種の色素を含むことを特徴とする、請求項１〜７のいずれか一項に記載の電気泳動流体。 
【請求項９】
＜１０の誘電率、約１０１５オーム・ｃｍの体積抵抗率、＜５ｃｓｔの粘度、および＞８０℃の沸点を有する、少なくとも１種の非極性溶媒を含むことを特徴とする、請求項１〜８のいずれか一項に記載の電気泳動流体。
【請求項１０】
着色粒子が着色ポリマー粒子であることを特徴とする、請求項１〜９のいずれか一項に記載の電気泳動流体。
【請求項１１】
ルチル、アナターゼまたは非晶性改質の二酸化チタン、表面コーティングされた二酸化チタン、二酸化チタンベースの粒子、および白色ポリマー粒子から選択される白色粒子を含むことを特徴とする、請求項１〜１０のいずれか一項に記載の電気泳動流体。
【請求項１２】
二色または多色電気泳動デバイスの製造のための、請求項１〜１１のいずれか一項に記載の電気泳動流体の、使用。
【請求項１３】
請求項１〜１１のいずれか一項に記載の電気泳動流体を含む、電気泳動表示デバイス。
【請求項１４】
請求項１３に記載の電気泳動表示デバイスにおける、異なる色状態の表示方法であって、請求項１〜１１のいずれか一項に記載の電気泳動流体中で、粒子を垂直に移動させること、および白色粒子および／または着色粒子間の離間を増大または低減させることによる、前記方法。
【請求項１５】
請求項１４に記載の方法であって、
ａ）第１の色状態が、白色粒子間の離間を増大させることにより、色素の色に基づいて達成され、
ｂ）第２の色状態が、色素の色に、および着色粒子間の離間を増大させることにより着色粒子の色に基づいて達成され、および
任意に、ｃ）白色状態が、白色粒子間の間隔を減少させることにより、達成される、
前記方法。
【請求項１６】
請求項１４に記載の方法であって、
ａ）第１の色状態が、第１のセットの粒子の色に基づいて、該第１のセットの粒子の粒子間の離間を低減させることにより、達成され、
ｂ）第２の色状態が、第２のセットの粒子の色に基づいて、該第２のセットの粒子の着色粒子間の離間を低減させることにより、達成され、
ｃ）第３の色状態が、色素の色に、ならびに、該第１のセットの着色粒子の色に基づいて、該第１のセットの粒子の着色粒子間の離間を増大させることにより、達成され、
ｄ）第４の色状態が、色素の色に、ならびに、該第２のセットの着色粒子の色に基づいて、該第２のセットの粒子の着色粒子間の離間を増大させることにより、達成され、および任意に
ｅ）白色状態が、該白色粒子間の離間を低減させることにより、達成される、
前記方法。
【発明の詳細な説明】
【技術分野】
【０００１】
本発明は、溶媒、色素、白色粒子、ならびに赤、緑、青、マゼンタ、シアン、イエロー粒子から選択される着色粒子、ならびにそれらの混合物を含む電気泳動流体、および、かかる流体を含む電気泳動表示装置に関する。
【背景技術】
【０００２】
電子看板適用に使用可能な材料に関心がある。典型的には、かかる適用は屋外または明るい場所にあり、ＬＣＤなどの発光技術は、周囲照明条件を克服するために、増加したバックライト消費電力を示す。低電力技術を使用することができる場合には、利点が見出される。かかる技術の一つは、電気泳動ディスプレイ（ＥＰＤ）である。これらは、周囲光の反射に依存し、および周囲光が高い強度−屋外または店舗やレストランなど−である条件に対して理想的である。低強度の周囲光の（または周囲光のない）ＥＰＤを使用するためには、前灯（front light）が必要とされるが、しかしながら前灯照射の消費電力は、ＬＣＤバックライトのそれに比べてはるかに小さい。
【０００３】
着色電子ペーパーなどの電気泳動表示装置における使用に適する粒子は、近年の特許文献に例示されている；例えば（US 7,304,634、GB 2 438 436、US 2007/0268244）など。ＥＰＤのに所望の特性を有する粒子を独立して製造するために、サイズ、色、電荷および多分散性などの特徴を制御し、操作することが、現在可能である；例えば、WO 2010/089057。多数の異なる技術を用いて、粒子の移動によって光学的効果を作り出すことができる。かかる方法の一つは、反射型カラー粒子、および吸収性黒色粒子の使用を組み込んで、色および黒色の光学的状態の間で切り替えることができる画素を作りだすことができる。
【０００４】
先願WO2013/189580は、黒色および白色粒子を染色された溶媒とともに用いることにより、黒色／カラー画素において高度な色飽和および高度な反射性を作り出す電気泳動材料の使用方法を記載する。この方法は、黒対白、または黒対カラー対白の３状態ピクセルに限定されている。
【０００５】
ＥＰＤの主な欠点は、良好な飽和色を達成するのが困難であり、および色の範囲が限定されていることである。そのため、改善された電気泳動流体に対する要求が継続している。
【発明の概要】
【０００６】
本発明は、請求項１に記載の電気泳動流体に関する。電気泳動流体は、少なくとも１種の溶媒、少なくとも１種の色素、任意に白色粒子、および赤、緑、青、マゼンタ、シアン、イエロー粒子から選択される着色粒子、ならびにそれらの混合物を含む。さらに、本発明は、新しい電気泳動流体を含む電気泳動表示器に関する。本発明はまた、流体内の粒子の垂直の動きによる、かかる流体を含む電気泳動表示器における異なる色状態の表示方法に関する。
【０００７】
好ましくは、電気泳動流体は、如何なる黒色粒子をも含まない。好ましくは、電気泳動流体は、少なくとも１種の溶媒、少なくとも１種の色素、任意に白色粒子、任意に電気泳動性を改善するための少なくとも１種の添加剤、ならびに赤、緑、青、マゼンタ、シアン、イエロー粒子から選択される少なくとも１組の着色粒子からなる。それらの混合物もまた用いられ得る。好ましくは、白色粒子および着色粒子は反対に荷電されているか、荷電され得る。着色粒子は、光透過性着色粒子（「透過性着色粒子」）または光反射性着色粒子（「反射性着色粒子」）であり得る。好ましくは、透過性着色粒子が、特には、約３８０〜約７８０ｎｍの波長領域の間に選択透過を有する着色粒子が、用いられる。好ましくは、電気泳動流体は、少なくとも１種の溶媒、少なくとも１種の色素、電気泳動性を改善するための任意に少なくとも１種の添加剤、白色粒子、ならびに赤、緑、青、マゼンタ、シアン、イエロー粒子から選択される１セットの透過性着色粒子からなる。任意に、着色粒子の混合物も用いられ得る。
【０００８】
新しい電気泳動流体は、色の範囲を拡張可能にし、白色粒子および色素を組み合わせて着色粒子を使用することにより、マルチカラーＥＰＤ装置を作り出す。さらに、本発明の電気泳動流体は、良好な彩度と反射率を提供する。流体は、好ましくは、単純な垂直の切り替えを利用して二重状態画素を呈することができ、多重な色が可能である。適切な駆動方式を適用することにより、粒子間隔を増加または減少のいずれかとすることができる。
【０００９】
白色粒子間に十分な間隔を確保することにより、色状態が、色素の色に起因して達成することができる。着色粒子間に十分な間隔を確保することにより、色状態が色素の色および着色粒子の色に起因して達成することができる。白色粒子間の間隔を減少させることにより、三色画素が達成され得、それにより、白色粒子が電極の上部で圧縮されるときに、表示器が白く見える。さらに、着色粒子間の間隔を低減させることにより、色状態は、着色粒子の色に起因して達成することができ、ここで好ましくは、反射性着色粒子が使用される。
【００１０】
好ましくは、電気泳動流体は、粒子の垂直動きに際し、好ましくは粒子の適切な間隔と組み合わせて、異なる色状態を提供する。本発明は特に、色素の色に基づいて、第一の色状態、および色素の色におよび着色粒子に、好ましくは透過性着色粒子の色に基づいて、第二の色状態を提供する。色素の色に基づいて第一の色状態を、色素の色におよび着色粒子の色に、好ましくは透過性着色粒子の色に基づいて、第二の色状態を、および白色粒子に基づいて第三の色状態を提供することも可能である。
【００１１】
特に、本発明は、粒子の垂直切り替えの際に、カラー対カラーの２状態の画素またはカラー対カラー対白の３状態画素を提供する。色混合知識を用いることにより、多重色が可能である。色素および着色粒子、好ましくは着色粒子の組み合わせを用いて、特定の適用、例えば会社ロゴのための色とカラーチューニングの選択肢の増加、または色域(color gamut)調整を達成することができる。 
【００１２】
本発明の変形において、色素の色に基づく色状態および、色素の色および粒子の色に基づくそれぞれの色状態に加えて、着色粒子の色に基づく色状態を達成することができ、それによりカラー対カラー対カラー の３状態画素またはカラー対カラー対カラー対白の４状態画素を提供することができる。
【００１３】
粒子は、起動波形を介して電極上で離間されるかまたは圧縮され得、１画素にすべての色を得る。
【００１４】
本発明の特に好ましい態様において、粒子の垂直切り替えおよび粒子間の間隔の変更に際し、特に透過性着色粒子に基づき、カラー対カラーの２状態画素が提供される。
【００１５】
本発明の好ましい態様は、透過性着色粒子の使用である。本発明のこの態様の背後にある原理は、イエロー対赤対白色の３状態画素に関して図１に示されるように機能する。この例は、イエロー色素、透過性マゼンタ粒子および白色粒子の使用を示す。イエロー状態は、光が黄色の色素を通過し、白色粒子から反射され、黄色の色素を通って監視者へ戻される際に発生する。赤色状態は、光がイエロー色素および透過性マゼンタ粒子（Ｍ＋Ｙ＝Ｒ）を通過し、白色粒子から反射されるときに発生する。
白状態は、上部電極に白色粒子を最密充填することによって達成することができる。
【００１６】
好ましい透過性着色粒子および色素を使用して単にＣＭＹおよびＲＧＢを考慮することにより、多くの異なる色状態を達成することができる。表１に示される以下の二重状態画素を好ましく達成することができ、ここで結果状態１は、色素の色に基づく色を示し、および結果状態２は、色素の色におよび透過着色粒子の色に基づく色を示す。
【００１７】
【表１】
0006670242.tif 000002
【００１８】
反射性着色粒子が用いられる場合、反射性着色粒子の色に基づく色状態もまた達成され得る。例えば、反射性マゼンタ粒子Ｍがイエロー色素Ｙおよび白色粒子とともに用いられるとき、以下の色状態が達成され得る：
ｉ）  Ｍが圧縮されたとき、マゼンタ状態；
ｉｉ）  上部電極でＭが離間されたとき、赤状態（Ｍ＋Ｙ）；
ｉｉｉ）  白色粒子が上部電極で離間されたとき、イエロー色素に基づき、イエロー状態；および
ｉｖ）  上部電極での白色粒子の最密充填による、白状態。
【００１９】
さらなる色状態が達成され得、例えば反射性マゼンタ粒子Ｍおよび反射性シアン粒子Ｃがイエロー色素Ｙとともに用いられるとき、以下の色状態が達成され得る：
ｉ）  Ｍが圧縮されたとき、マゼンタ状態；
ｉｉ）  Ｃが圧縮されたとき、シアン状態；
ｉｉｉ）  Ｍが上部電極で離間されたとき、赤状態（Ｍ＋Ｙ）；
ｉｖ）  Ｃが上部電極で離間されたとき、緑状態（Ｃ＋Ｙ）；
ｖ）  イエロー色素に基づく、イエロー状態。
電気泳動流体がさらに白色粒子を含むとき、上部電極での白色粒子の最密充填により白状態もまた達成され得る。
【００２０】
粒子は、起動波形により離間され、１画素に全ての色を得る。
【００２１】
表２は、４原色を生じる、色素の色および２つの異なる反射性着色粒子に基づく色状態を示す、４状態画素の概要を示す。他の粒子／色素組み合わせを使用するとき、ある範囲の「中間の（inbetween）」色、例えばオレンジおよび紫もまた可能である。
【００２２】
【表２】
0006670242.tif 000003
【００２３】
本発明の電気泳動流体は、色素及び色素混合物を含み；好ましくは、高吸光度を有しおよび好ましくは、非極性溶媒に対する増加した溶解性を有する、色素である。好ましくは、色素は、５０ミクロンのセル厚で、少なくとも０．３ａ．ｕ．、好ましくは少なくとも０．５ａ．ｕ．、特に少なくとも０．７ａ．ｕ．の吸光度を有する。好ましい溶媒は、非極性炭化水素溶媒、例えばIsoparシリーズ（エクソンモービル）、Norpar、Shell-sol（シェル）、Sol-Trol（シェル）、ナフサ、および他の石油系溶剤、ならびに長鎖アルカン類、例えばノナン、デカン、ドデカン、およびテトラデカンである。好ましくは、吸光度は、ドデカン中の色素の飽和溶液に対して測定される。可能な限り高い吸光度を有する色素が、最も有利に用いられる。吸光度データは、ランベルト・ベールの法則Ａ＝−ｌｇ（Ｉ／Ｉ０）＝εｃｄを用いて誘導することができ、式中、Ａはある波長での吸光度であり、Ｉは透過放射線の強度であり、Ｉｏは透過前の放射線の強度であり、εはモル吸光係数（ｌ／モル  ｃｍ）であり、ｃは濃度（モル／ｌ）であり、およびｄは光路長（ｃｍ）である。吸光度は単位なしである。しかし、吸光度は、多くの場合、「任意単位」（ａ．ｕ．）でまたは「吸光度単位」（ＡＵ）で報告されている。任意単位（ａ．ｕ．）が、本発明にわたって使用される。色素の吸光度は好ましくは、日立Ｕ３３１０のＵＶ−ｖｉｓ分光光度計、ドデカン中の色素の飽和溶液を用いて測定することができる。
【００２４】
非極性溶媒中の必要な溶解度は好ましくは前述の段落で引用される溶媒は、色素の吸光係数に依存するが、通常、１重量％を上回り、好ましくは＞５％であるべきである。＞２０重量％の色素の溶解度が観察されており、好ましくは、この方法で利用されて、最大の彩度(color saturation)を与え得る。
【００２５】
色素の機能は、電気泳動流体を着色することである。色素は、発色団、任意の架橋（ｌｉｎｋｅｒ）基（スペーサー）、および物理的特性（溶解性、耐光性など）を改変する任意の基および任意にされた帯電された基（単数、複数）からなる。慎重に色素構造の設計をし、同族体の混合物を用いると、溶解度の増加をもたらし得る。
【００２６】
発色団は、好ましくは共役芳香族（複素芳香族を含む）および／または多重結合：アゾ（モノアゾ、ジスアゾ、トリスアゾ  連結アゾなどを含む）、金属化アゾ、アントラキノン、ピロリン、フタロシアニン、ポリメチン、アリール−カルボニウム、トリフェンジオキサジン、ジアリールメタン、トリアリールメタン、アントラキノン、フタロシアニン、メチン、ポリメチン、インドアニリン、インドフェノール、スチルベン、スクアリリウム、アミノケトン、キサンテン、フルオロン、アクリデン、キノレン、チアゾール、アジン、インジュリン、ニグロシン、オキサジン、チアジン、インジゴイド、キノニオイド（quinonioid）、キナクリドン、ラクトン、ベンゾジフラノン、フラボノール、キャロン（chalone）、ポリエン、クロマン、ニトロ、ナフトラクタム、ホルマゼンまたはインドレン基、または２つまたはそれ以上のかかる基の組み合わせを含む。好ましい発色団はアゾ基（特に、モノアゾ、ジスアゾ）とアントラキノン基である。
【００２７】
色素は、例えば明るい黄色、マゼンタ、シアン色、自己影黒(self shade blacks)を有する単一の発色団を含んでいてもよい。しかし、それはまた、混合された共有結合発色団を含んで、例えば、共有結合された茶色および青または黄色、マゼンタ、シアンによって、黒色を獲得し得る。緑はまた、イエローおよびシアンなどによって得ることができる。広範な共役発色団を使用して、いくつかの色合いを得ることができる。例えば、ジアゾおよびトリスアゾ化合物を用いて、黒および他の鈍色な色合い（ネイビーブルー、茶色、オリーブグリーンなど）を得ることができる。
【００２８】
また色素の混合物を用いて、較正された電気泳動流体の色合いを得ることができる。例えば少量の別の色素を添加して電気泳動流体の色を改変することにより（例えば、９５％の黄色および５％のシアンにより、緑寄りの黄色の色合いを得る）、色合いを調整することができる。
【００２９】
一発色団の混合物の使用が、特別な注目である。発色団上の可溶化基は好ましくは、４以上の炭素からなる炭化水素鎖である。これらの鎖は、直鎖、分枝鎖であり得、異性体、例えばジアステレオマーなどを含み、Ｏ、Ｓ、Ｎ、Ｆで任意に置換され得る。好ましくは、８〜２０個の炭素からなる炭化水素鎖を含む同族体の混合物を用いて、最も高い溶解性を与える。同族体の混合物はワンポット手順で調製することができ、個々の色素の製造コストを低減することが、一つの有利である。
【００３０】
好ましくは非極性溶媒中で、改善された溶解性を有する色素、およびそれゆえより高い吸光度の結果物の溶液を、好ましくは用いることができる。多成分色素概念を使用することにより、溶解性をさらに増加させて、ＥＰＤにおける使用に好適な高度に吸収性の材料を可能にし得る。同一の発色団であるが、変更された周囲構造を有する色素を混合することによって、色素発色団の全体的な溶解度が増加し、より高い吸光度値を達成することができる。類似の発色団／変更された周囲構造を有する色素を添加することにより、多成分色素系が、高められた溶解性および吸光度をもたらす。一つの利点は、同族体の混合物は、ワンポット手順で調製することができ、個々の色素の製造コストを低減することである。
【００３１】
有利には、同じ発色団ではあるが、可溶化基を変化させて利用する色素混合物が使用される。これは莫大に改善された溶解性を提供する。驚くべきことに、同じ発色団ではあるが、異なる長鎖炭化水素基を有して、溶解度を増加させた混合物が使用されるとき、１５％までの溶解度が達成される。特に、色素の組み合わせを用いて、強い色強度を有する電気泳動流体を達成する。
【００３２】
好ましい態様は、以下のとおりである：
−  少なくとも２つの色素を含む電気泳動流体であって、ここで各色素が少なくとも１つの発色団基および少なくとも１つの可溶化基を含み、およびここで少なくとも２つの色素が異なる可溶化基を含む、前記電気泳動流体；
−  少なくとも４個の炭素原子を有し、任意にＯ、Ｓ、ＮまたはＦ原子で置換されている、直鎖または分枝の炭化水素基から選択された異なる炭化水素基を有する色素を含む、電気泳動流体；
−  同族体の可溶化基を有する少なくとも２つの色素を含む、 電気泳動流体；
−  同じ発色団基を有する少なくとも２つの色素を含む、電気泳動流体;
−  異なる発色団基を有する少なくとも２つの色素を含む、電気泳動流体。
【００３３】
好ましくは、本発明の電気泳動流体は、式Ｉ、式ＩＩ、式ＩＩＩ、式ＩＶ、式Ｖまたは式ＶＩ
【化１】
0006670242.tif 000004
式中、 
ＸおよびＸ’は互いに独立して、Ｈまたは電子吸引性基であり； 
Ｒ１およびＲ２は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、であり；
Ｒ３およびＲ４は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、であり；
Ｒ５は、メチルまたはメトキシ基であり；
かつ、当該色素は、少なくとも１個の電子吸引性基を含む；
【化２】
0006670242.tif 000005
式中、
Ｒ６およびＲ７は互いに独立して、直鎖または分枝の、置換または非置換のアルキル基、ここで１以上の隣接していない炭素原子はＯ、Ｓおよび／またはＮで置換されてもよく、好ましくは、Ｃ８〜Ｃ２０、である；
【化３】
0006670242.tif 000006
式中、
Ｘ’’は、電子吸引性基であり； 
Ｒ８は、メチルまたはメトキシ基であり； 
Ｒ９およびＲ１０は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、である； 
【００３４】
【化４】
0006670242.tif 000007
式中、
Ｒ１２およびＲ１３は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、であり；
Ｒ１１は、少なくとも３個の炭素原子を有するアルキルまたはアルコキシ基である；
【化５】
0006670242.tif 000008
式中、
Ｒ１４およびＲ１５は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、である； 
【化６】
0006670242.tif 000009
式中、
Ｘ’’’は、電子吸引性基であり； 
Ｒ１６およびＲ１７は互いに独立して、直鎖または分枝の、置換または非置換のアルキル基、ここで１以上の隣接していない炭素原子はＯ、Ｓおよび／またはＮで置換されてもよく、好ましくはＣ８〜Ｃ２０、である。
Ｒ１８は、ＮＨＣＯＲ、ここでＲ＝直鎖または分枝のＣ１〜Ｃ１０アルキル基、好ましくはＮＨＣＯＣＨ３である、
による、少なくとも１個の色素を含む。
【００３５】
用語「電子吸引性基」は当技術分野において周知であり、隣接する原子から価電子を引きつける置換基の傾向を指し；換言すれば、置換基は、隣接原子に対して電気的に陰性である。電子吸引性基の例には、ＮＯ２、ＣＮ、ハロゲン、アシル、トリフルオロメトキシ、トリフルオロメチル、ＳＯ２Ｆ、およびＣＯ２Ｒ、ＳＯ２Ｒ、ＳＯ２ＮＲＲまたはＳＯ２ＮＨＲを含み、Ｒは、独立して直鎖または分枝のアルキル、好ましくはＣ１〜Ｃ４アルキルである。好ましい電子吸引性基は、ＮＯ２、ＣＮ、Ｂｒ、Ｃｌ、ＳＯ２ＮＲＲまたはＳＯ２ＮＨＲある。
【００３６】
好適な色素およびその調製および特性化の方法は、例えば、WO 2013/127494にも記載されている。
【００３７】
好ましくは、直鎖または分枝のＣ８〜Ｃ２０アルキル基を有する式Ｉで表される色素、特には追加のＮＯ２および／またはＣＮ基を有するものが、使用される。
また好ましくは、直鎖または分枝のＣ８〜Ｃ２０アルキル基を有する式ＩＩで表される色素が、特には追加のＮＯ２および／またはＣＮ基を有するものが用いられる。
好ましくはＣ８〜Ｃ２０基を有する、色素を含む、異なる直鎖または分枝のアルキル基を有する色素を含む同族体の色素の混合物を使用することが、最も有利である；例えば、２−エチルヘキシル、ｎ−オクチル、３，５，５−トリメチルヘキシル、ｎ−デシル、ｎ−ウンデシル、ｎ−ドデシル、テトラデシル、および／またはペンタデシル基を有する色素の混合物である。
また、式ＩＩ、ＩＩＩ、Ｖ、およびＶＩで表される色素が好ましい。
特に、以下の表に一覧される色素が、用いられ得る。
【００３８】
【表３】
0006670242.tif 000010
【００３９】
【表４】
0006670242.tif 000011
【００４０】
【表５】
0006670242.tif 000012
【００４１】
好ましくは、色素２、４〜６、および８を使用し得る。本発明の他の好ましい変形において、色素の混合物、例えば色素６の混合物を使用し得る。
【００４２】
以下のスキームは、当業者に公知の方法によりおよび条件下で実行することができる、本発明の色素の、特には式Ｉ〜ＶＩで表される色素のための、合成例を示す；さらなる詳細は、実施例において与えられる：
【００４３】
スキーム１：  式Ｉで表される色素：
当該技術分野で公知の簡便な条件下で、２ステップ手順による式Ｉで表される色素の製造を、４−（（Ｅ）−（４−（（Ｅ）−（２，４−ジニトロフェニル）ジアゼニル）−２，５−ビス（２−エチルヘキシルオキシ）フェニル）ジアゼニル）−３−メチル−Ｎ，Ｎ−オクチル／エチルヘキシル−アニリンに関して、以下のスキームに例示する：
【化７】
0006670242.tif 000013
【００４４】
スキーム２：  式ＩＩで表される色素：
当該技術分野で公知の簡便な条件下での２ステップ手順による式ＩＩで表される色素の製造を、以下のスキームに例示する：
【化８】
0006670242.tif 000014
【００４５】
スキーム３：  式ＩＩＩで表される色素：
当該技術分野で公知の簡便な条件下での２ステップ手順による式ＩＩＩで表される色素の製造を、（Ｅ）−３−メチル−４−（（４−ニトロフェニル）ジアゼニル）−Ｎ，Ｎ−ジオクチルアニリンに関して、以下のスキームに例示する：
【化９】
0006670242.tif 000015
【００４６】
スキーム４：  式ＩＶで表される色素：
当技術分野で公知の簡便な条件下での２ステップ手順による式ＩＶで表される色素の製造を、以下のスキームに例示する：
【化１０】
0006670242.tif 000016
【００４７】
スキーム５：  式Ｖで表される色素：
当該技術分野で公知の簡便な条件下での２ステップ手順による式Ｉで表される色素の製造を、１，４−ビス（２−エチルヘキシル／ｎ−オクチル／ｎ−ウンデシル／ｎ−ドデシル−アミノ）アントラセン−９，１０−ジオンに関し、以下のスキームに例示する：
【化１１】
0006670242.tif 000017
【００４８】
スキーム６：  式６で表される色素：
当該技術分野で公知の簡便な条件下での２ステップ手順による式ＶＩで表される色素の製造を、Ｎ−（２−（（４−シアノ−３−メチルイソチアゾール−５−イル）ジアゼニル）−５−（ジオクチルアミノ）フェニル）アセトアミドに関し、以下のスキームに例示する：
【化１２】
0006670242.tif 000018
【００４９】
さらなる色素の製造は、上におよび実施例に示した反応と同様に行ない得る。
【００５０】
特に好ましい色素および色素混合物を、表５に一覧する：
【００５１】
【表６】
0006670242.tif 000019
【００５２】
本発明の電気泳動流体はさらに、白色の、ならびに赤、緑、青、マゼンタ、シアン、およびイエロー粒子から選択される着色の粒子を含む。通常、白色粒子と着色粒子とは、反対に荷電されるかまたは荷電可能である。１セットより多い着色粒子が使用される場合、それらは通常、反対に荷電されるかまたは荷電可能である。
【００５３】
電気泳動流体で共通して用いられる任意の白色粒子が、新しい電気泳動流体において使用され得る。白色粒子は、好ましくは、ルチル、アナターゼまたは非晶質改質のチタン、表面被覆された二酸化チタン、二酸化チタンベースの粒子、および白色ポリマー粒子から選択し得る。通常、電気泳動流体は、チタニア、アルミナ、硫酸バリウム等の白色無機ナノ粒子を含み、それらは通常、誘電体媒体と誘電性流体媒体中で良好な分散性を促進するために表面層で被覆されている。
【００５４】
さらに、本発明の電気泳動流体は、ａ）少なくとも１種のポリマー、少なくとも１種の白色反射物、少なくとも１種の極性溶媒、少なくとも１種の非極性溶媒、および少なくとも１種の界面活性剤を含む逆エマルションを形成する、およびｂ）蒸発方法によって極性溶媒（単数）または極性溶媒（複数）を除去する、のステップを含むプロセスにより製造された白色ポリマー粒子を含み得る。「逆エマルション」は、非極性溶媒（好ましくは、ドデカン、または同等の脂肪族炭化水素）が連続相を形成し、極性溶媒（好ましくは水）が不連続相を形成することを意味する。かかるプロセスはまた、「蒸発沈殿法」または「逆エマルション溶媒除去」（ＲＥＳＲ）と呼ばれ、逆エマルションを形成し、その後、固体粒子を形成するために、蒸発法による内部相から溶媒を除去する工程が含まれることに起因する。かかる白色反射性粒子はWO 2011/154104に記載されている。
【００５５】
好ましくは、本発明の電気泳動流体は、コア粒子および該コア粒子上に吸着されたポリマー殻を含む白色ポリマー粒子を含み得、ここで該ポリマー殻は、モノマーまたはマクロモノマー構築ブロックを有するランダム共重合体からなり、および該ランダム共重合体は少なくとも１つの荷電されたまたは荷電性の、任意に炭化水素不溶性の構造単位、および少なくとも１つの炭化水素可溶性の安定化構造単位を含む。かかる白色ポリマー粒子は、好ましくはWO 2013/149714に記載された方法で製造される。
【００５６】
本発明の電気泳動流体は、赤、緑、青、マゼンタ、シアン、およびイエローの粒子から選択される、少なくとも１セットの着色粒子を含む。それらの混合物もまた使用され得る。好ましくは、本発明の電気泳動流体は、赤、緑、青、マゼンタ、シアン、およびイエローの粒子から選択される、１セットの着色粒子を含む。本発明の他の変形において、電気泳動流体は、赤、緑、青、マゼンタ、シアン、イエロー粒子から選択される２セットの着色粒子を含み、該２セットの着色粒子は異なる色を有する。電気泳動流体で一般的に使用される、赤、緑、青、マゼンタ、シアン、およびイエローの粒子から選択される任意の着色粒子が、新しい電気泳動流体において使用され得る。好ましくは、透過性着色粒子が使用される。
【００５７】
好ましくは、以下のステップを含む方法によって製造される着色粒子が用いられる：ａ）少なくとも１種のポリマー、少なくとも１種の着色粒子、少なくとも１種の極性溶媒、少なくとも１種の非極性溶媒、および少なくとも１種の界面活性剤を含む逆エマルションを形成すること、およびｂ）蒸発法によって極性溶媒（単数）または極性溶媒（複数）を除去すること。「逆エマルション」は、非極性溶媒（好ましくは、ドデカン、または同等の脂肪族炭化水素））が連続相を形成し、極性溶媒（好ましくは水）が不連続相を形成することを意味する。逆エマルションを形成してそして中間相から溶媒を除去して固体粒子を形成することに関与するステップのために、かかる方法は、「蒸発沈殿法」または「逆エマルション溶媒除去」（ＲＥＳＲ）のいずれかにも称される。これらの着色粒子は、WO 2013/026519に記載されている。
【００５８】
さらに、本発明の電気泳動流体は、重合または共重合色素を含む着色ポリマー粒子を含み得る。かかる着色粒子は、WO 2009/100803、WO 2010/089057、WO 2010/089058、WO 2010/089059、WO 2010/089060、WO 2011/154103および／またはWO 2012/019704に記載されている。
【００５９】
特に、少なくとも１種のモノマーの、少なくとも１種の重合性色素の、任意に少なくとも１種の荷電コモノマーの、および任意に少なくとも１種の架橋共単量体のモノマー単位を含む着色コポリマー粒子が好ましい。重合性色素は、好ましくは発色団、好ましくはアゾ基、アントラキノン基、フタロシアニン基、１つ以上の重合性基、および任意の架橋基を含む。非極性連続相中における着色ポリマー粒子の表面安定化または立体的反発力を高めるために、立体安定剤が、好ましくは着色重合体粒子中に組み込まれる。かかる着色されたポリマー粒子はWO 2010/089057およびWO 2012/019704に記載されている。好ましくは、WO 2012/019704に従って調製された透過性着色粒子が、本発明に適している。
【００６０】
本発明の好ましい変形において、電気泳動流体は、記載される好ましい色素、チタニア、およびWO 2012/019704による着色ポリマー粒子を含み、ここでチタニアは、好ましくは表面コーティングされる。
本発明の好ましい変形において、電気泳動流体は、記載される好ましい色素、上記のＲＥＳＲ方法によって製造された白色反射性ポリマー粒子、および上記のＲＥＳＲ方法によって製造された着色ポリマー粒子を含む。
【００６１】
特に好ましい電気泳動流体は、式Ｉ〜ＶＩで表される色素、特に表１〜４に記載されているもの、WO 2013/149714に従って製造した白色反射性ポリマー粒子、およびWO 2012/019704に従って製造した着色ポリマー粒子を含む。
【００６２】
本発明の電気泳動流体は好ましくは、粒子の垂直の動きに際し、好ましくは粒子の適切な離間と組み合わせて、異なる色状態を提供する。特に、本発明の電気泳動流体は、色素の色に基づく第１の色状態、ならびに色素の色に、および着色粒子の色に基づく第２の色状態を提供する。また、本発明の電気泳動流体は、色素の色に基づく第１の色状態、色素の色に、および着色粒子の色に基づく第２の色状態、ならびに白色粒子に基づく第３の色状態を提供する。
【００６３】
したがって、本発明はまた、粒子を垂直に移動させること、および電気泳動流体中の白色粒子および／または着色粒子間の離間を増加または減少させることによる、電気泳動ディスプレイに異なる色状態を表示する方法に関する。
【００６４】
好ましくは、本発明は、粒子を垂直に移動させること、および電気泳動流体中の白色粒子および／または着色粒子間の離間を増加または減少させることによる、電気泳動ディスプレイに異なる色状態を表示する方法であって、ここで、
ａ）第一の色状態が、色素の色に基づいて、白色粒子間の離間を増加させることにより達成され、
ｂ）第二の色状態が、色素の色および着色粒子の色に基づいて、着色粒子間の離間を増加させることにより達成され、および任意に
ｃ）白色状態が、白色粒子間の離間を低減させることによって達成される、
前記方法に関する。
【００６５】
本発明はまた、粒子を垂直に移動させること、および電気泳動流体中の白色粒子および／または着色粒子間の離間を増加または減少させることによる、電気泳動ディスプレイに異なる色状態を表示する第二の方法であって、ここで
ａ）第１の色状態が、第１のセットの着色粒子の色に基づいて、該第１のセットの着色粒子の着色粒子間の離間を低減させることにより達成され、
ｂ）第２の色状態が、第２のセットの着色粒子の色に基づいて、該第２のセットの着色粒子の着色粒子間の離間を低減させることにより達成され、
ｃ）第３の色状態が、色素の色に、および該第１のセットの着色粒子の色に基づいて、該第１のセットの着色粒子の着色粒子間の離間を増加させることにより達成され、
ｄ）第４の色状態が、色素の色に、および該第２のセットの着色粒子の色に基づいて、該第２のセットの着色粒子の着色粒子間の離間を増加させることにより達成され、および任意に、
【００６６】
ｅ）白状態が、白色粒子間の離間を低減させることによって達成され、ならびに任意に、
ｆ）さらになる色状態が、１以上のさらなるセットの着色粒子の色に基づいて、該さらなるセットの着色粒子の着色粒子間の離間を低減させることに達成され、および／または任意に、
ｇ）さらなる色状態が、色素の色に、および該１以上のさらなるセットの着色粒子の色に基づき、該さらなるセットの着色粒子の着色粒子間の離間を増加させることにより達成される、
前記方法に関する。
【００６７】
この態様は好ましくは、粒子を垂直に移動させること、および電気泳動流体中の白色粒子および／または着色粒子間の離間を増加または減少させることによる、電気泳動ディスプレイに異なる色状態を表示する方法であって、
ａ）第１の色状態が、第１のセットの着色粒子の色に基づき、該第１のセットの着色粒子の着色粒子間の離間を低減させることにより達成され、
ｂ）第２の色状態が、第２のセットの着色粒子の色に基づき、該第２のセットの着色粒子の着色粒子間の離間を低減させることにより達成され、
ｃ）第３の色状態が、色素の色に、および該第１のセットの着色粒子の色に基づき、該第１のセットの着色粒子の着色粒子間の離間を増加させることにより達成され、および
ｄ）第４の色状態が、色素の色に、および該第２のセットの着色粒子の色に基づき、該第２のセットの着色粒子の着色粒子間の離間を増加させることにより達成される、
前記方法に関する。
【００６８】
垂直粒子運動および粒子離間は、電気的に制御することができる。粒子離間を変化させて、所望のように白色度、または彩度のいずれかを変えることができる。いくつかの適用のためには、白の「極端な」状態を有して、それにより、白色粒子が上部電極上に圧縮されたときにディスプレイが白く見えることが、所望され得る。この場合、粒子離間は最小にされなければならず、そして色状態は駆動スキームを用いて電気的に達成されなければならないであろう。これは、セルの距離にわたって粒子を移動させる、短パルスのＤＣ電圧からなる。駆動スキームの正確な詳細は、粒子速度と要求される彩度に応じて変化するであろう。１００ｍｓの応答時間を有する配合物のためには、４０〜４５ｍｓに対する電圧を印加することにより、粒子が最大彩度の点に移動させることができることを想定することができる。彩度のレベルは、異なる持続時間の電圧パルスを印加することによって制御することができる。
【００６９】
本発明の電気泳動流体は、主に、電気泳動ディスプレイにおける、特には二色性または多色性電気泳動デバイスにおける使用のために設計されている。典型的な電気泳動ディスプレイは、好ましくは、安定性および電荷などの電気泳動特性を改善するための添加剤と一緒に、低極性または非極性溶媒中に分散された粒子からなる。かかる分散体の例は、例えばUS 7,247,379；WO 99/10767；US 2007/0128352；US 7,236,290；US 7,170,670；US 7,038,655；US 7,277,218；US 7,226,550；US 7,110,162；US 6,956,690；US 7,052,766；US 6,194,488；US 5,783,614；US 5,403,518；US 5,380,362の文献によく記載されている。
【００７０】
流体の安定性を改善する典型的な添加物（立体安定化によるか、または帯電剤としての使用によるかのいずれかで）は、当該分野の専門家に知られており、Brij、SpanおよびTweenシリーズの界面活性剤（Aldrich）、Solsperse、Ircosperse、およびColorburstシリーズ（Lubrizol）、OLOA帯電剤（Chevron Chemicals）およびAerosol-OT（Aldrich）を含む（が、これらには限定されない）。この検討における好ましい界面活性剤の添加剤は、SolsperseレンジおよびA-OTであり、およびなおより好ましくは、Solsperse 17,000、13650、11000およびSolsplus K500、A-OTおよびSpan 85である。このプロセスで使用される典型的な界面活性剤は、通常はテールと呼ばれる疎水性部分で単置換、二置換または多置換された、通常は頭部基と呼ばれる親水性部分を有する、カチオン性、アニオン性、両性イオン性または非イオン性である。
【００７１】
この方法における界面活性剤の親水性頭部基は、スルホン酸塩、硫酸塩、カルボン酸塩、リン酸塩、アンモニウム、第四級アンモニウム、ベタイン、スルホベタイン、イミド、無水物、ポリオキシエチレン（例えば、ＰＥＯ／ＰＥＧ／ＰＰＧ）、ポリオール（例えば、スクロース、ソルビタン、グリセロールなど）、ポリペプチドおよびポリグリシジルの誘導体で構成され得るが、それには限定されない。この方法における界面活性剤の疎水性テールは、直鎖および分枝の鎖状アルキル、オレフィンおよびポリオレフィン、ロジン誘導体、ＰＰＯ、ヒドロキシルおよびポリヒドロキシステアリン酸型鎖、パーフルオロアルキル、アリールおよび混合アルキル−アリール、シリコーン、リグニン誘導体、および上術のものの部分的に不飽和のバージョンから構成され得るが、それには限定されない。この方法のための界面活性剤はまた、カタニオニック、ボラホルムズ、ジェミニ、ポリマー性および重合性型の界面活性剤であり得る。
【００７２】
電気泳動特性を改善する任意の他の添加剤は、それらが配合体媒体、特に沈降効果を最小化するように設計された、増粘剤またはポリマー添加剤に可溶性であれば、組み入れることができる。
【００７３】
本発明の電気泳動流体の分散溶媒は好ましくは、使用される色素及び界面活性剤のための良溶媒であり、主に、誘電率、屈折率、密度および粘度に基づいて選択することができる。好ましい溶媒選択は、低誘電率（＜１０、より好ましくは＜５）、高体積抵抗率（約１０１５オーム−ｃｍ）、低粘度（５ｃｓｔ未満）、低水溶性、高沸点（＞８０℃）ならびに屈折率および粒子と同様の密度を表示する。最終適用の挙動を変更するためには、これらの変数を微調整することは有用であり得る。例えば、ポスター表示や棚札などの低速切り替え適用においては、より遅い切り替え速度を犠牲にしても、増加した粘度を有して画像の寿命を改善することが有利であり得る。しかし、迅速な切り替えを要する適用、例えば、電子書籍およびディスプレイにおいては、画像が安定に残存する寿命（およびそれゆえディスプレイがより頻繁にアドレッシングを必要とするため、電力消費の増加する）を犠牲にしても、迅速な切り替えを実現するであろう。
【００７４】
好ましい溶媒は、多くの場合には、非極性炭化水素溶媒、例えばIsoparシリーズ（Exxon-Mobil）、Norpar, Shell-Sol（Shell）、Sol-Trol（Shell）、ナフサ、およびその他の石油系溶媒、ならびに長鎖アルカン、例えばノナン、デカン、ドデカンおよびテトラデカンなどである。これらは、低誘電率、低粘度、および低密度溶媒となる傾向がある。密度が合致した粒子／溶媒混合物は、はるかに改善された沈降／沈降特性が得られるため、望ましい。この理由のため、多くの場合に、ハロゲン化溶媒を添加して密度の合致を実現することが有用であり得る。かかる溶媒の典型的な例は、Halocarbonオイルシリーズ（Halocarbon products）、またはテトラクロロエチレン、四塩化炭素、１，２，４−トリクロロベンゼンおよび類似の溶媒である。これらの溶媒の多くの負の側面は、毒性および環境への配慮であるので、ある場合においては、かかる溶媒を使用することよりもむしろ、沈降に対する安定性を増強する添加剤を加えることもまた有益であり得る。
【００７５】
本発明の粒子の形成に用いられる好ましい添加剤および溶媒は、OLOA 11000（Chevron Chemicals）、Icrosperse 2153（Lubrizol Ltd）、およびドデカン（Sigma Aldrich）である。
【００７６】
好ましくは、本発明の電気泳動流体は、長鎖アルカンから選択される少なくとも１種の溶媒、異なる色および反対の電荷を有する少なくとも２種の粒子、および少なくとも１種の高い吸光度を有する色素を含み、ここで該色素は好ましくは、５０ミクロンのセル厚で、少なくとも０．５ａ．ｕ．の吸光度を有する。
【００７７】
特に、好ましい色素、好ましい白色粒子、好ましい着色粒子、ならびに好ましい溶媒の組み合わせが、本発明の電気泳動流体のために使用される。
【００７８】
本発明のなおより好ましい電気泳動流体は、非極性炭化水素溶媒、記載される好ましい色素、上記のＲＥＳＲ法により製造された白色反射性ポリマー粒子、または表面被覆チタニア、および上記のＲＥＳＲ法によって製造された着色ポリマー粒子、または重合または共重合色素を含む上記の着色ポリマー粒子を含む。
【００７９】
特に好ましい電気泳動流体は、上記の非極性炭化水素溶媒、式Ｉ〜ＩＶで表される色素、特には表１〜４に記載されるもの、上記のＲＥＳＲ法によって製造された白色反射性ポリマー粒子、または表面被覆チタニア、および重合されたまたは共重合された色素を含む上記の着色ポリマー粒子、特にWO 2012/019704による着色ポリマー粒子を含む。
【００８０】
さらにより好ましい電気泳動流体は、ノナン、デカン、ドデカン、およびテトラデカン、またはそれらの混合物、式Ｉ〜ＶＩの色素、特に表１〜４に記載されるもの、WO 2013/149714に従って製造された白色反射性ポリマー粒子、およびWO 2012/019704に従って製造された着色ポリマー粒子を含む。
【００８１】
通常、本発明の全ての変形は、例えば、電気泳動特性、例えば安定性および電荷などを改善する少なくとも１種の添加剤、好ましくは少なくとも１種の界面活性剤、特には上記の好ましい界面活性剤を含む。特に、本発明の電気泳動流体は、上に記載される溶媒、色素、白色粒子、着色粒子、および界面活性剤から、好ましくは、好ましいものとして記載されている全てのこれらの成分から、特には、特別に好ましいものとして記載されている全てのこれらの成分からなる。
【００８２】
粒子を分散させるために使用される溶媒および添加剤は、本発明の実施例内で使用されるものに限定されず、および他の多くの溶媒および／または分散剤を使用し得る。電気泳動ディスプレイのための好適な溶媒および分散剤のリストは、既存の文献、特に、WO 99/10767およびWO 2005/017046に見出すことができる。そして電気泳動流体は、さまざまな画素アーキテクチャ、例えばElsevier B.V., Amsterdamにより刊行されたC. M. Lampert, Displays; 2004, 25(5)などに見出し得るものによって、電気泳動ディスプレイ素子に組み込まれる。
【００８３】
電気泳動ディスプレイは、典型的には、光学的状態またはその中間状態間の画素またはパターン化素子の切り替えに好適な、モノリシックまたはパターン化したバックプレーン電極構造と密接に組み合わせた電気泳動表示媒体を含む。
【００８４】
本発明による電気泳動粒子は、すべての公知の電気泳動媒体および電気泳動ディスプレイ、例えばElsevier B.V., Amsterdam により刊行されたC. M. Lampert, Displays; 2004, 25(5)に記載される、フレキシブルディスプレイ、一粒子系、二粒子系、色素化流体（dyed fluid）、マイクロカプセルを含む系、マイクロカップ系、エアギャップ系などに好適である。フレキシブルディスプレイの例としては、動的なキーパッド、ｅ−ペーパー腕時計、動的な価格設定および広告、ｅ−リーダー、巻き取り可能なディスプレイ、スマートカード媒体、製品の包装、携帯電話、ラボトップ、ディスプレイカード、デジタルサインである。
【図面の簡単な説明】
【００８５】
【図１】図１はＹ／Ｒ／Ｗ状態に対する、多粒子系の適用を示す図である。
【図２】図２は例１および２に対する色データを示す図である。
【００８６】
引用した参考文献における開示はまた、明示的に本発明出願の開示内容の一部である。文脈が明らかに他を示さない限り、本明細書で使用する用語の複数形は、単数形を含むものと解釈されるべきであり、および逆もまた同様である。特許請求の範囲および詳細な説明において、単語「含む（comprise）／含む（comprises）／含んでいる（comprising）」および「含有する（contain）／含有する（contains）／含有している（containing）」は、列挙された成分が含まれているが、そのほかの成分は除外されていないことを意味する。明細書をとおして、Ｃはシアンを表し、Ｍはマゼンタを表し、Ｙはイエローを表し、Ｒは赤を表し、Ｇは緑を表し、およびＢはブルーを表す。以下の実施例は、保護の範囲を制限することなく、より詳細に本発明を説明する。上のおよび以下の例において、他に示されていなければ、全ての部および百分率は重量（ｗｔ）によるものである。
【実施例】
【００８７】
透過性ＣＹＡＮ粒子は、WO 2012/019704の実施例２６／１１に従って製造される。
透過性ＭＡＧＥＮＴＡ粒子は、WO 2012/019704の実施例２６／３０に従って製造される。
ＷＨＩＴＥ粒子は、WO 2013/149714の実施例２に従って製造される。
ＹＥＬＬＯＷ色素は、WO 2013/127494の実施例１５に従って製造される。
【００８８】
全ての他の化学品は、Sigma-Aldrichから購入する。すべての化学品は、可能な限りハイグレードで購入し、他に記載されなければさらに精製することなく用いる。
配合物の特徴付けは、極限状態の色座標を測定する、Xrite Color i5分光光度計を用いて行われる。色素の吸光度は、Hitachi U3310 UV-vis分光光度計を用いて測定する。すべての色素サンプルは、５０ミクロンの離間を有するガラスセル中で、粒子なしで、実施例で使用される濃度で測定される。
【００８９】
例１：ＣＹＡＮ＋ＷＨＩＴＥデュアル粒子流体、Ｙｅｌｌｏｗ色素添加
０．１５ｇのＡＯＴおよび０．３５ｇのSpan 85を、１．５ｇの透過性ＣＹＡＮ粒子５０％ｗ／ｗドデカン中の分散体および５．０ｇのＷＨＩＴＥ粒子３０％ｗ／ｗドデカン中の分散体に添加して、およそ７ｇのＣＹＡＮ／ＷＨＩＴＥ粒子分散濃縮物を与える。０．４ｇのＹＥＬＬＯＷ色素を当該濃縮物に添加し、６０秒間ボルテックス混合する。
【００９０】
０．０２ｇの得られた分散体を、５０ミクロンのスペーサービーズによって分離されたガラスに対する２つのＩＴＯコーティングされたプレートからなるテストセル中にキャピラリー充填する。＋１５Ｖの電圧を印加し、積分球有する反射モードでのXrite Color i5分光光度計を用いて色座標を測定した。すべての結果を、ｄ６５照明に基づいて通信する。測定を、−１５Ｖ印加の電圧で繰り返す。結果を表６および図２に示す。
【００９１】
【表７】
0006670242.tif 000020
【００９２】
例２：ＭＡＧＥＮＴＡ＋ＷＨＩＴＥデュアル粒子流体、ＹＥＬＬＯＷ色素添加
０．１５ｇのＡＯＴおよび０．３５ｇのSpan 85を、１．５ｇのＭＡＧＥＮＴＡ粒子５０％ｗ／ｗドデカン中の分散体および５．０ｇのＷｈｉｔｅ粒子３０％ｗ／ｗドデカン中の分散体に添加して、およそ７ｇのＭＡＧＥＮＴＡ／ＷＨＩＴＥ粒子分散濃縮物を与える。０．４ｇのＹＥＬＬＯＷ色素を濃縮物に添加し、６０秒間ボルテックス混合する。
【００９３】
０．０２ｇの得られた分散対を、５０ミクロンのスペーサービーズによって分離されたガラスに対する２つのＩＴＯコーティングされたプレートからなるテストセル中にキャピラリー充填する。＋１５Ｖの電圧を印加し、積分球を有する反射モードでのXrite Color i5分光光度計を用いて色座標を測定し、すべての結果を、ｄ６５照明に基づいて通信する。測定を、−１５Ｖ印加の電圧で繰り返す。結果を表７および図２に示す。
【００９４】
【表８】
0006670242.tif 000021
【図１】
0006670242.tif 000028
【図２】
0006670242.tif 000029